(57)【特許請求の範囲】
【請求項１】
第一配線およびこの第一配線に対向して配置された第二配線で構成される入出力配線と、
一端が前記第一配線と第一接続部により接続され他端が前記第二配線と第二接続部により接続される第一線間コンデンサと、
一端が前記第一配線と第三接続部により接続され他端が接地配線と第四接続部により接続される第一対地コンデンサと、
一端が前記第二配線と第五接続部により接続され他端が前記接地配線と第六接続部により接続される第二対地コンデンサとを備えたノイズフィルタであって、
前記各コンデンサは、前記接地配線が配設された平面の一方面側あるいは他方面側に配設されたものであり、
前記第一対地コンデンサおよび前記第二対地コンデンサは、該第一対地コンデンサの前記第三接続部から前記第四接続部へ向かう向きと該第二対地コンデンサの前記第五接続部から前記第六接続部へ向かう向きとのうちの少なくとも一方の向きが、前記第一線間コンデンサの前記第一接続部から前記第二接続部へ向かう向きに対して、前記平面と直交する方向から見て、０度を超え３６０度未満の第１調整角度をなすように配置され、
前記第一対地コンデンサが前記平面の一方面側に配設され、前記第二対地コンデンサが前記平面の他方面側に配設され、前記第一対地コンデンサまたは前記第二対地コンデンサのうちの一方の向きが、前記第１調整角度をなすように配置される構成において、
前記第一対地コンデンサおよび前記第二対地コンデンサは、前記第１調整角度をなすように配置される前記第一対地コンデンサまたは前記第二対地コンデンサの一方の向きに対して、他方の向きが、前記平面と直交する方向から見て、０度以上１８０度未満、１８０度を超え３６０度未満の第１補助角度をなすように配置され、
前記第一対地コンデンサが、前記平面と直交する方向から見て、前記第二対地コンデンサと重なる位置に配置される、
ノイズフィルタ。
【請求項２】
前記第１調整角度は、１８０度を中心にプラスマイナス４５度以内、９０度を中心にプラスマイナス４５度以内、２７０度を中心にプラスマイナス４５度以内、のいずれかである、
請求項１に記載のノイズフィルタ。
【請求項３】
一端が前記第一配線と第七接続部により接続され他端が前記第二配線と第八接続部により接続される第二線間コンデンサを有するものであって、
かつ前記第二線間コンデンサと前記第一線間コンデンサとが隣接して前記平面の一方面側に配設され、
前記第二線間コンデンサの前記第七接続部から前記第八接続部へ向かう向きが、前記第一線間コンデンサの前記第一接続部から前記第二接続部へ向かう向きに対して、前記平面と直交する方向から見て、０度を超え３６０度未満の第２調整角度をなすように配置される、
請求項１または請求項２に記載のノイズフィルタ。
【請求項４】
一端が前記第一配線と第七接続部により接続され他端が前記第二配線と第八接続部により接続される第二線間コンデンサを有するものであって、
かつ前記第一線間コンデンサが前記平面の一方面側に配設され、前記第二線間コンデンサが前記平面の他方面側に配設され、
前記第二線間コンデンサの前記第七接続部から前記第八接続部へ向かう向きが、前記第一線間コンデンサの前記第一接続部から前記第二接続部へ向かう向きに対して、前記平面と直交する方向から見て、０度以上１８０度未満、１８０度を超え３６０度未満の第２調整角度をなすように配置される、
請求項１または請求項２に記載のノイズフィルタ。
【請求項５】
一端が第九接続部により、他端が第十接続部により、前記第一配線に直列接続される第一コイルと、
一端が第十一接続部により、他端が第十二接続部により、前記第二配線に直列接続される第二コイルと、を有するものであって、
前記第一コイルおよび前記第二コイルは、該第一コイルの前記第九接続部から前記第十接続部へ向かう向きと該第二コイルの前記第十一接続部から前記第十二接続部へ向かう向きとのうちの少なくとも一方の向きが、前記第一線間コンデンサの前記第一接続部から前記第二接続部へ向かう向きに対して、前記平面と直交する方向から見て、０度を超え３６０度未満の第３調整角度をなすように配置される、
請求項１から請求項４のいずれか１項に記載のノイズフィルタ。
【請求項６】
前記第一コイルと前記第二コイルと前記第一線間コンデンサとが、前記平面の一方面側に配設される構成において、
前記第一コイルおよび前記第二コイルは、前記第一コイルまたは前記第二コイルの一方の向きに対して、他方の向きが、前記平面と直交する方向から見て、０度を超え３６０度未満の第２補助角度をなすように配置される、
請求項５に記載のノイズフィルタ。
【請求項７】
前記第一コイルと前記第二コイルとが、前記平面の一方面側において前記第一線間コンデンサに隣接して配設される構成において、
前記第一コイルおよび前記第二コイルは、
前記第一コイルまたは前記第二コイルの一方の向きに対して他方の向きが前記第２補助角度をなすとともに、前記第一線間コンデンサに対して前記第３調整角度をそれぞれがなして配置される、
請求項６に記載のノイズフィルタ。
【請求項８】
前記第一コイルが前記平面の一方面側に配設され、前記第二コイルが前記平面の他方面側に配設され、前記第一コイルまたは前記第二コイルのうちの一方の向きが、前記第３調整角度をなすように配置される構成において、
前記第一コイルおよび前記第二コイルは、前記第３調整角度をなすように配置される前記第一コイルまたは前記第二コイルの一方の向きに対して、他方の向きが、前記平面と直交する方向から見て、０度以上１８０度未満、１８０度を超え３６０度未満の第２補助角度をなすように配置される、
請求項５に記載のノイズフィルタ。
【請求項９】
前記第一コイルが、前記平面と直交する方向から見て、前記第二コイルと重なる位置に配置される、
請求項８に記載のノイズフィルタ。
【請求項１０】
一端が第十三接続部により、他端が第十四接続部により、前記第一配線に直列接続される第三コイルと、一端が第十五接続部により、他端が第十六接続部により、前記第二配線に直列接続される第四コイルと、で形成される第一コモンモードコイルと、
一端が第十七接続部により、他端が第十八接続部により、前記第一配線に直列接続される第五コイルと、一端が第十九接続部により、他端が第二十接続部により、前記第二配線に直列接続される第六コイルと、で形成される第二コモンモードコイルと、
を有するものであって、
前記第一コモンモードコイルおよび前記第二コモンモードコイルは、該第一コモンモードコイルの前記第十三接続部から前記第十四接続部へ向かう向きと該第二コモンモードコイルの前記第十七接続部から前記第十八接続部へ向かう向きとのうちの少なくとも一方の向きが、前記第一線間コンデンサの前記第一接続部から前記第二接続部へ向かう向きに対して、前記平面と直交する方向から見て、０度を超え３６０度未満の第４調整角度をなすように配置される、
請求項１から請求項９のいずれか１項に記載のノイズフィルタ。
【請求項１１】
前記第一コモンモードコイルと前記第二コモンモードコイルと前記第一線間コンデンサとが、前記平面の一方面側に配設される構成において、
前記第一コモンモードコイルおよび前記第二コモンモードコイルは、前記第一コモンモードコイルまたは前記第二コモンモードコイルの一方の向きに対して、他方の向きが、前記平面と直交する方向から見て、０度を超え３６０度未満の第３補助角度をなすように配置される、
請求項１０に記載のノイズフィルタ。
【請求項１２】
前記第一コモンモードコイルと前記第二コモンモードコイルとが、前記平面の一方面側において前記第一線間コンデンサに隣接して配設される構成において、
前記第一コモンモードコイルおよび前記第二コモンモードコイルは、
前記第一コモンモードコイルまたは前記第二コモンモードコイルの一方の向きに対して他方の向きが前記第３補助角度をなすとともに、前記第一線間コンデンサに対して前記第４調整角度をそれぞれがなして配置される、
請求項１１に記載のノイズフィルタ。
【請求項１３】
前記第一コモンモードコイルが前記平面の一方面側に配設され、前記第二コモンモードコイルが前記平面の他方面側に配設され、前記第一コモンモードコイルまたは前記第二コモンモードコイルのうちの一方の向きが、前記第４調整角度をなすように配置される構成において、
前記第一コモンモードコイルおよび前記第二コモンモードコイルは、前記第４調整角度をなすように配置された前記第一コモンモードコイルまたは前記第二コモンモードコイルの一方の向きに対して、他方の向きが、前記平面と直交する方向から見て、０度以上１８０度未満、１８０度を超え３６０度未満の第３補助角度をなすように配置される、
請求項１２に記載のノイズフィルタ。
【請求項１４】
前記第一コモンモードコイルが、前記平面と直交する方向から見て、前記第二コモンモードコイルと重なる位置に配置される、
請求項１３に記載のノイズフィルタ。
【請求項１５】
請求項１から請求項１４のいずれか１項に記載のノイズフィルタと、
入力された電圧をスイッチングする半導体スイッチング素子とを備えた、
電力変換装置。
【発明の詳細な説明】
【技術分野】
【０００１】
本願は、例えば半導体素子のスイッチング動作などによって生じる電磁気ノイズを低減するためのノイズフィルタおよび当該ノイズフィルタを備えた電力変換装置に関する。
【背景技術】
【０００２】
ノイズフィルタには線間に取り付けられる線間コンデンサ、および、対地との間に接続される対地コンデンサ、が用いられる（例えば、特許文献１参照）。また、加えて、線間に取り付けられる（ノーマルモード）コイル、および、コモンモードコイルが用いられることもある（例えば、非特許文献１参照）。
【先行技術文献】
【特許文献】
【０００３】
【特許文献１】特開２０１４−５０２６０号公報
【非特許文献】
【０００４】
【非特許文献１】Ｇ．Ａｓｍａｎｉｓ，ｅｔ  ａｌ  ”Ｍｕｔｕａｌ Ｃｏｕｐｌｉｎｇｓ ｂｅｔｗｅｅｎ ＥＭＩ Ｆｉｌｔｅｒ Ｃｏｍｐｏｎｅｎｔｓ”  Ｅｌｅｃｔｒｏｍａｇｎｅｔｉｃ  Ｃｏｍｐａｔｉｂｉｌｉｔｙ(ＥＭＣ),  ２０１５  ＩＥＥＥ  Ｉｎｔｅｒｎａｔｉｏｎａｌ  Ｓｙｍｐｏｓｉｕｍ、ｐ．ｐ．９０８−９１３
【発明の概要】
【発明が解決しようとする課題】
【０００５】
従来のノイズフィルタは以上のように構成され、これらのコンデンサは、静電容量だけでなく、コンデンサを構成するための配線によって、意図しないインダクタンス（寄生インダクタンス）を持つ。各コンデンサ同士を近接させて配置すると、寄生インダクタンスを介して電磁結合する。このため、これらの電磁結合によってノイズが流れ出てしまい、各コンデンサが持つノイズのバイパス効果を低減させてしまうため、ノイズが低減しにくくなるという問題点があった。
本願は、上記のような課題を解決するための技術を開示するものであり、各コンデンサを近接させた場合でもノイズを低減できるノイズフィルタおよび当該ノイズフィルタを備えた電力変換装置を得ることを目的としている。
【課題を解決するための手段】
【０００６】
本願に開示されるノイズフィルタにおいては、
第一配線およびこの第一配線に対向して配置された第二配線で構成される入出力配線と、
一端が前記第一配線と第一接続部により接続され他端が前記第二配線と第二接続部により接続される第一線間コンデンサと、
一端が前記第一配線と第三接続部により接続され他端が接地配線と第四接続部により接続される第一対地コンデンサと、
一端が前記第二配線と第五接続部により接続され他端が前記接地配線と第六接続部により接続される第二対地コンデンサとを備えたノイズフィルタであって、
前記各コンデンサは、前記接地配線が配設された平面の一方面側あるいは他方面側に配設されたものであり、
前記第一対地コンデンサおよび前記第二対地コンデンサは、該第一対地コンデンサの前記第三接続部から前記第四接続部へ向かう向きと該第二対地コンデンサの前記第五接続部から前記第六接続部へ向かう向きとのうちの少なくとも一方の向きが、前記第一線間コンデンサの前記第一接続部から前記第二接続部へ向かう向きに対して、前記平面と直交する方向から見て、０度を超え３６０度未満の第１調整角度をなすように配置され、
れ、
前記第一対地コンデンサが前記平面の一方面側に配設され、前記第二対地コンデンサが前記平面の他方面側に配設され、前記第一対地コンデンサまたは前記第二対地コンデンサのうちの一方の向きが、前記第１調整角度をなすように配置される構成において、
前記第一対地コンデンサおよび前記第二対地コンデンサは、前記第１調整角度をなすように配置される前記第一対地コンデンサまたは前記第二対地コンデンサの一方の向きに対して、他方の向きが、前記平面と直交する方向から見て、０度以上１８０度未満、１８０度を超え３６０度未満の第１補助角度をなすように配置され、
前記第一対地コンデンサが、前記平面と直交する方向から見て、前記第二対地コンデンサと重なる位置に配置される、
ものである。
また、本願に開示される電力変換装置においては、
上記のように構成されたノイズフィルタと、
入力された電圧をスイッチングする半導体スイッチング素子とを備えた、
ものである。
【発明の効果】
【０００７】
本願に開示されるノイズフィルタおよび電力変換装置は、各コンデンサを近接させた場合でも、各コンデンサが持つノイズのバイパス効果を維持できるため、ノイズを低減できる。
【図面の簡単な説明】
【０００８】
【図１】実施の形態１によるノイズフィルタの回路図である。
【図２】実施の形態１によるノイズフィルタの図である。模式的に示す模式図である。
【図３】角度による電磁結合の量を示す図である。
【図４】本実施の形態２によるノイズフィルタの図である。
【図５】本実施の形態３によるノイズフィルタの図である。
【図６】本実施の形態４によるノイズフィルタの図である。
【図７】本実施の形態５によるノイズフィルタの図である。
【図８】本実施の形態６によるノイズフィルタの図である。
【図９】角度による電磁結合の量を示す図である。
【図１０】本実施の形態７によるノイズフィルタの図である。
【図１１】本実施の形態８によるノイズフィルタの図である。
【図１２】実施の形態９によるノイズフィルタの回路図である。
【図１３】実施の形態９によるノイズフィルタの図である。
【図１４】実施の形態９によるノイズフィルタの他の構成例を示す回路図である。
【図１５】実施の形態９によるノイズフィルタの図である。
【図１６】実施の形態９によるノイズフィルタを備えた電力変換装置の概略構成図である。
【発明を実施するための形態】
【０００９】
実施の形態１．
図１は、本実施の形態のノイズフィルタを示す回路図である。
図２Ａは、本実施の形態のノイズフィルタの斜視図である。
図２Ｂは、図２Ａにおけるノイズフィルタの上方から、すなわち平面Ｐと直交する方向から見たときの各コンデンサの配置を模式的に示す説明図である。
図２Ｃは、図２Ａにおけるノイズフィルタの手前側から、すなわちノイズフィルタの側方から見たときの各コンデンサの配置を模式的に示す模式図である。
このように構成されたノイズフィルタは、半導体素子のスイッチング動作などによって生じる電磁気ノイズを減衰させるために、系統電源側とノイズの発生源である電気機器（例えばインバータ）との間、系統電源側とノイズの発生源である電力変換装置との間、電気機器と負荷との間、電力変換装置と負荷との間、等に挿入（接続）される。ここで、半導体素子には例えばＳｉ（シリコン）を用いても良く、もしくは、ＳｉＣ（炭化珪素）、ＧａＮ（ガリウムナイトライド、窒化ガリウム）、ダイヤモンド等を材料とするワイドバンドギャップ半導体の素子を用いても良い。
【００１０】
図１において、ノイズフィルタ１００は、第一配線２、第二配線３、接地配線４、第一線間コンデンサ１１、第一対地コンデンサ１２、および第二対地コンデンサ１３を有する。なお、第一配線２、第二配線３および接地配線４がこの実施の形態における入出力配線である。第一線間コンデンサ１１は、第一配線２と第二配線３との間に接続されている。第一対地コンデンサ１２は、第一配線２と接地配線４との間に接続されている。第二対地コンデンサ１３は、第二配線３と接地配線４との間に接続されている。なお、これらの形状、配置については後述する。単相交流の場合、第一配線２はＬ線（活線）、第二配線３はＮ線（中性線）に相当し、図示しないノイズ発生源である例えば単相のインバータに接続されている。また、接地配線４は、大地電位に接続されている。
なお、以降の説明において、第一線間コンデンサ１１、第一対地コンデンサ１２、および第二対地コンデンサ１３のそれぞれを区別する必要がない場合は、単にコンデンサと称す。
【００１１】
インバータの半導体素子のスイッチング動作などによって生じる電磁気ノイズＡ（図１）は、図１における右方である電気機器等からノイズフィルタ１００に印加されるが、第一線間コンデンサ１１、第一対地コンデンサ１２、および第二対地コンデンサ１３によってバイパスされることで、系統電源側へ漏れ流れ込むノイズを低減することが可能である。
【００１２】
しかしながら、第一線間コンデンサ１１、第一対地コンデンサ１２、および第二対地コンデンサ１３にはそれぞれのコンデンサの接続線によって意図しないインダクタンス（寄生インダクタンス）を持つ。このため、第一線間コンデンサ１１、第一対地コンデンサ１２、および第二対地コンデンサ１３が近接されて配置されていると、寄生インダクタンスを介して電磁結合（例えば、図１における相互インダクタンスンスＭ１，Ｍ２，Ｍ３）する。そして、図１に矢印Ｂおよび矢印Ｃで示すような、第一対地コンデンサ１２、第二対地コンデンサ１３を通るノイズ電流の伝播経路のインダクタンスが大きくなって、各コンデンサが持つノイズのバイパス効果を低減させてしまうため、ノイズフィルタの減衰量が低下してしまう。なお、フィルタの大きさ（容積）を小さくするために第一線間コンデンサ１１、第一対地コンデンサ１２、および第二対地コンデンサ１３を近接して配置することが要請されている。
【００１３】
図２Ａにおいて、ノイズフィルタ１００は、次のように構成されている。
第一配線２、第二配線３、接地配線４は、薄い平板状の導体で形成され、それぞれ図２Ａに示されるような形状に切り欠かれた切欠部が形成されている。第一配線２、第二配線３、接地配線４は、図２Ａにおける上下方向に間隔を置いて、上から第一配線２、接地配線４、第二配線３の順に、かつ互いに平行に対向して配置されている。なお、接地配線４が配設された平面Ｐ、すなわち接地配線４を含む平面Ｐがこの実施の形態における予め決められた平面である。
【００１４】
第一線間コンデンサ１１は、第一接続部としての接続部１１１ａを有する第一接続線１１１および第二接続部としての接続部１１２ａを有する第二接続線１１２を備えている。
第一対地コンデンサ１２は、第三接続部としての接続部１２１ａを有する第一接続線１２１および第四接続部としての接続部１２２ａを有する第二接続線１２２を備えている。
第二対地コンデンサ１３は、第五接続部としての接続部１３１ａを有する第一接続線１３１および第六接続部としての接続部１３２ａを有する第二接続線１３２を備えている。
【００１５】
第一線間コンデンサ１１、第一対地コンデンサ１２、および第二対地コンデンサ１３は、第一配線２および接地配線４および第二配線３並びに平面Ｐの一方面側（図２Ａにおける上方面側）において、平面Ｐと平行に、かつ平面Ｐと平行な一つの平面上にあるようにして、配置されている。そして、図２Ａにおける右方から第一線間コンデンサ１１、第二対地コンデンサ１３、第一対地コンデンサ１２の順に配設されている。
なお、以下においては、第一配線２および接地配線４および第二配線３並びに平面Ｐに対する各コンデンサ１１、１２、１３の位置関係を説明するときに、特に断らない限り代表として平面Ｐを用いて説明することとする。
【００１６】
第一対地コンデンサ１２が、第二対地コンデンサ１３の図２Ａにおける左方に、平面Ｐと直交する方向から見たときに第二対地コンデンサ１３にほぼ平行にかつ近接して配設されている。また、これら第一線間コンデンサ１１、第二対地コンデンサ１３、および第一対地コンデンサ１２が、図２Ａにおける右方から見て、すなわち平面Ｐと平行な方向から見て重なる位置に配置されている。そして、第一線間コンデンサ１１は、接続部１１１ａにより第一配線２に接続され、接続部１１２ａにより第二配線３に接続されている。第一対地コンデンサ１２は、接続部１２１ａにより第一配線２に接続され、接続部１２２ａにより接地配線４に接続されている。第二対地コンデンサ１３は、接続部１３１ａにより第二配線３に接続され、接続部１３２ａにより接地配線４に接続されている。
【００１７】
図２Ａ、図２Ｂおよび図２Ｃにおいて、第一線間コンデンサ１１、第一対地コンデンサ１２、第二対地コンデンサ１３のそれぞれの向きＤ１、Ｄ２、Ｄ３を次のように定義する。
すなわち、第一線間コンデンサ１１の、第一配線２に接続された接続部１１１ａから、第二配線３に接続された接続部１１２ａへ向かう向きをＤ１とする。
第一対地コンデンサ１２の、第一配線２に接続された接続部１２１ａから、接地配線４に接続された接続部１２２ａへ向かう向きをＤ２とする。
第二対地コンデンサ１３の、第二配線３に接続された接続部１３１ａから、接地配線４に接続された接続部１３２ａへ向かう向きをＤ３とする。
また、向きＤ１、向きＤ２、向きＤ３がなす角度とは、平面Ｐと直交する方向から見たときの向きＤ１、向きＤ２、向きＤ３がなす角度のことである。
【００１８】
ノイズフィルタ１００において、第一対地コンデンサ１２および第二対地コンデンサ１３は、その向きＤ２と向きＤ３とのうちの少なくとも一方の向きが、第一線間コンデンサ１１の向きＤ１に対して、平面Ｐと直交する方向から見て、反時計回りに、０度を超え３６０度未満の第１調整角度をなすように配置される。
具体的には、図２Ａ〜図２Ｃに示されるように、第一対地コンデンサ１２および第二対地コンデンサ１３のうち、第一線間コンデンサ１１に近接する方の第二対地コンデンサ１３の向きＤ３が、第一線間コンデンサ１１の向きＤ１に対して、平面Ｐと直交する方向から見てほぼ１８０度の第１調整角度をなすように配置されている。
【００１９】
また、ノイズフィルタ１００において、第一対地コンデンサ１２および第二対地コンデンサ１３は、第１調整角度をなすように配置される第一対地コンデンサ１２または第二対地コンデンサ１３の一方の向きに対して、他方の向きが、平面Ｐと直交する方向から見て、反時計回りに、０度を超え３６０度未満の第１補助角度をなすように配置される。
具体的には、図２Ａ〜図２Ｃに示されるように、第一対地コンデンサ１２の向きＤ２は、上記第１調整角度をなすように配置された第二対地コンデンサ１３の向きＤ３に対して、平面Ｐと直交する方向から見てほぼ１８０度の第１補助角度をなすように配置される。
【００２０】
なお、図２Ｂにおいて、第一線間コンデンサ１１の接続部１１１ａと第一配線２との接続部を黒丸で表し、符号１１１ａおよび２を付している。第一線間コンデンサ１１の接続部１１２ａと第二配線３との接続部を黒丸で表し、符号１１２ａおよび３を付している。第一対地コンデンサ１２の接続部１２１ａと第一配線２との接続部を黒丸で表し、符号１２１ａおよび２を付している。第一対地コンデンサ１２の接続部１２２ａと接地配線４との接続部を黒丸で表し、符号１２２ａおよび４を付している。第二対地コンデンサ１３の接続部１３１ａと第二配線３との接続部を黒丸で表し、符号１３１ａおよび３を付している。第二対地コンデンサ１３の接続部１３２ａと接地配線４との接続部を黒丸で表し、符号１３２ａおよび４を付している。なお、以下に説明する実施の形態２〜９においても同様の要領で符号を付している。
【００２１】
図３は、向きＤ１〜Ｄ３がなす角度に基づく電磁結合量を実験結果に基づき示した図である。横軸に向きＤ１〜Ｄ３きがなす角度を示し、縦軸に電磁結合の結合量を示す。この結合量の値が低いほど、各コンデンサに付随する寄生インダクタンスを介した電磁結合が低減されることを示す。
【００２２】
前述のように、第二対地コンデンサ１３は、その向きＤ３が、第一線間コンデンサ１１の向きＤ１に対して、ほぼ１８０度の第１調整角度をなすように配置されている。この場合、図３に示すように、角度１８０度において、第二対地コンデンサ１３と第一線間コンデンサ１１に付随する寄生インダクタンスを介した電磁結合の結合量が−１と最も低くなる。
このように結合量を−１とした構成においては、第一線間コンデンサ１１および第二対地コンデンサ１３を流れる電流によって形成される磁場が相互に打消しあう。
そのため、従来のもの、例えば向きＤ１と、向きＤ３とが、ほぼ０度（同じ方向）となる従来の配置のものに比べて、図１に示した電磁結合が大幅に低減される。
このため、第一線間コンデンサ１１と第二対地コンデンサ１３とが近接して配置された場合でも、第一線間コンデンサ１１と第二対地コンデンサの寄生インダクタンスを介した電磁結合を大幅に低減でき、各コンデンサが持つノイズのバイパス効果を維持できるため、ノイズを低減できる。
【００２３】
またこのように第一線間コンデンサ１１に対して第１調整角度をなすように、第二対地コンデンサ１３を配置することで、第一線間コンデンサ１１と第二対地コンデンサ１３との間の静電容量による静電結合を抑制することも可能である。これにより伝導ノイズを抑制できる。
【００２４】
また、前述のように、第一対地コンデンサ１２の向きＤ２は、上記第１調整角度をなすように配置された第二対地コンデンサ１３の向きＤ３に対して、ほぼ１８０度の第１補助角度をなすように配置されている。このため、第一対地コンデンサ１２と第二対地コンデンサ１３とが近接して配置された場合でも、第一対地コンデンサ１２と第二対地コンデンサ１３に付随する寄生インダクタンスを介した電磁結合を大幅に低減し、コンデンサが持つノイズのバイパス効果を維持できるため、ノイズを低減できる。
またこのように第一対地コンデンサ１２に対して第１補助角度をなすように、第二対地コンデンサ１３を配置することで、第一対地コンデンサ１２と第二対地コンデンサ１３との間の静電容量による静電結合を抑制することも可能である。これにより伝導ノイズを抑制できる。
【００２５】
なお、上記では、第１調整角度および第１補助角度として、結合量が−１と最も低くなる１８０度を用いたものを示した。しかしながらこれに限定するものではなく、第１調整角度および第１補助角度として、０度を超え３６０度未満の角度を用いれば、図３に示したように結合量を１より下に抑えてノイズ抑制効果を得ることができる。
また、第１調整角度および第１補助角度として用いた１８０度は、前述のように最も電磁結合を低減できる角度であると共に、各コンデンサを実装する場合において実装が容易な角度である。但し、マシン実装を用いず、人手により実装する場合等においては、最大プラスマイナス４５度の誤差が生じることがある。よって、第１調整角度は、実装容易な１８０度を中心としたプラスマイナス４５度の公差を含む値とする。
【００２６】
また、第一対地コンデンサ１２および第二対地コンデンサ１３のうち、第一線間コンデンサ１１に近接する方の第二対地コンデンサ１３の向きＤ３を、第一線間コンデンサ１１の向きＤ１に対して、第１調整角度をなすように配置した。第一線間コンデンサ１１を介して流れるノイズ電流は、第一対地コンデンサ１２、第二対地コンデンサ１３を介してそれぞれ流れるノイズ電流よりも大きい。そのため、このようにノイズの大きい第一線間コンデンサ１１に近接して、第一線間コンデンサ１１との相互インダクタンスが大きい第二対地コンデンサ１３の方を第１調整角度をなすように配置することで、より高いノイズ低減効果を得ることができる。
【００２７】
なお、以上では、第一線間コンデンサ１１、第一対地コンデンサ１２、および第二対地コンデンサ１３が、平面Ｐに平行に、かつ平面Ｐと平行な一つの平面上にあって、平面Ｐと平行な方向から見て重なる位置に配置されるものを示した。しかし、これに限られるものではなく、各コンデンサ１１、１２、１３が平面Ｐに平行であって異なる複数の平面上に別々に配置されたものであってもよい。
また、図２では第一配線２、第二配線３、接地配線４は、板状の導体に部分的に切欠き部を設けた特有の形状を有しているが、これらの形状については第一線間コンデンサ１１、第一対地コンデンサ１２、および第二対地コンデンサ１３との接続に適する任意の形状のものでよい。さらに、第一配線２、第二配線３、接地配線４は、平板状の導体で形成された薄板状のものを示したが、板状ではなく断面円形の銅線などで形成されたものであってもよい。
【００２８】
また、以上では、第一対地コンデンサ１２および第二対地コンデンサ１３のうち、第一線間コンデンサ１１に近接する方の第二対地コンデンサ１３の向きＤ３が、第一線間コンデンサ１１の向きＤ１に対して、第１調整角度をなすように配置されている例を示したが、これに限定するものではない。例えば、第一対地コンデンサ１２のみが第１調整角度をなすように配置されていてもよいし、また、例えば、第一対地コンデンサ１２と第二対地コンデンサ１３との両方が第１調整角度をなすように配置されていてもよい。
【００２９】
さらに、以上は単相交流のノイズフィルタ１００について述べたが、直流および三相交流のノイズフィルタについても適用できる。直流の場合、第一配線２はＰ線（正極）、第二配線３はＮ線（負極）に相当する。三相交流で、かつ、ノイズ発生源である例えば電気機器または電力変換装置の系統電源側にノイズフィルタを取り付ける場合、第一配線２はＲ相線もしくはＳ相線もしくはＴ相線もしくはＮ線（中性線）であり、第二配線３は第一配線２以外の相の線に相当する。つまり、第一配線２がＲ相線の場合、第二配線３はＳ相線もしくはＴ相線もしくはＮ線であり、第一配線２がＳ相線の場合、第二配線３はＲ相線もしくはＴ相線もしくはＮ線である。第一配線２がＴ相の場合、Ｎ相の場合も同様に、それぞれ第二配線３は、Ｒ相線もしくはＳ相線もしくはＮ線、Ｒ相線もしくはＳ相線もしくはＴ相線となる。
【００３０】
三相交流で、かつ、電気機器または電力変換装置の負荷側にノイズフィルタ１００を取り付ける場合、第一配線２はＵ相線もしくはＶ相線もしくはＷ相線もしくはＮ線であり、第二配線３は第一配線２以外の相の線に相当する。つまり、第一配線２がＵ相線の場合、第二配線３はＶ相線もしくはＷ相線もしくはＮ線であり、第一配線２がＶ相線の場合、第二配線３はＵ相線もしくはＷ相線もしくはＮ線である。第一配線２がＷ相の場合、Ｎ相の場合も同様に、それぞれ第二配線３は、Ｕ相線もしくはＶ相線もしくはＮ線、Ｕ相線もしくはＶ相線もしくはＷ相線となる。
【００３１】
また、上記では、平面Ｐの一方面側が図２Ａにおける上方面側、平面Ｐの他方面側を図２Ａにおける下方面側として説明したが、一方面側が下方面側で、他方面側が上方面側でもよい。
【００３２】
実施の形態２．
図４Ａは、本実施の形態のノイズフィルタの斜視図である。
図４Ｂは、図４Ａにおけるノイズフィルタを、平面Ｐと直交する方向から見たときの各コンデンサの配置を模式的に示す説明図である。
図４Ｃは、図４Ａにおけるノイズフィルタを側方から見たときの各コンデンサの配置を模式的に示す模式図である。
【００３３】
図４Ａにおいて、ノイズフィルタ２００は、次のように構成されている。
第一線間コンデンサ１１、第一対地コンデンサ１２、および第二対地コンデンサ１３は平面Ｐの一方面側（図４Ａにおける上方面側）に配置される。そして、図４Ａにおける右方から第一線間コンデンサ１１、第二対地コンデンサ１３、第一対地コンデンサ１２の順に、図４Ａにおける平面Ｐと平行な方向から見て重なる位置に配置される。なお、第一対地コンデンサ１２は、第二対地コンデンサ１３の左方に第二対地コンデンサ１３とほぼ平行にかつ近接して配置されている。
【００３４】
このノイズフィルタ２００において、第一対地コンデンサ１２および第二対地コンデンサ１３は、その向きＤ２と向きＤ３の両方の向きが、第一線間コンデンサ１１の向きＤ１に対して、平面Ｐと直交する方向から見て、反時計回りに、０度を超え３６０度未満の第１調整角度をなすように配置される。
具体的には、図４Ａ〜図４Ｃに示されるように、第二対地コンデンサ１３は、その向きＤ３が、第一線間コンデンサ１１の向きＤ１に対して、平面Ｐと直交する方向から見て、ほぼ１３５度の第１調整角度をなすように配置される。また、第一対地コンデンサ１２は、その向きＤ２が、第一線間コンデンサ１１の向きＤ１に対して、平面Ｐと直交する方向から見て、ほぼ３１５度の第１調整角度をなすように配置される。
【００３５】
また、第一対地コンデンサ１２は、このように第一線間コンデンサ１１の向きＤ１に対して第１調整角度をなすように配置されつつ、さらに、その向きＤ２が、第二対地コンデンサ１３の向きＤ３に対しても、平面Ｐと直交する方向から見てほぼ１８０度の第１補助角度をなすように配置される。
【００３６】
その他の構成については、図２に示した実施の形態１と同様のものであるので、相当するものに同じ符号を付して説明を省略する。なお、第一線間コンデンサ１１の向きＤ１を１８０度回転させて、第一線間コンデンサ１１の向きＤ１に対する第二対地コンデンサ１３の向きＤ３がなす角度がほぼ３１５度となるようにしてもよい。
【００３７】
このように、第二対地コンデンサ１３は、その向きＤ３が、第一線間コンデンサ１１の向きＤ１に対して、ほぼ１３５度の第１調整角度をなすように配置される。こうして、図３に示したように、第二対地コンデンサ１３と第一線間コンデンサ１１の寄生インダクタンスを介した結合量を約−１／√２に低減できる。このように結合量を−１／√２とした構成においては、第一線間コンデンサ１１および第二対地コンデンサ１３を流れる電流によって形成される磁場が相互に打消しあう。このため、第一線間コンデンサ１１と第二対地コンデンサ１３とが近接して配置された場合でも電磁結合を大幅に低減でき、ノイズを低減できる。
【００３８】
また、第一対地コンデンサ１２は、その向きＤ２が、第一線間コンデンサ１１の向きＤ１に対して、ほぼ３１５度の第１調整角度をなすように配置される。こうして、図３に示したように、第一対地コンデンサ１２と第一線間コンデンサ１１の寄生インダクタンスを介した結合量を約１／√２に低減できる。結合量が１／√２となると、結合量が１の時に比較してノイズが３ｄＢ下がる。ノイズが３ｄＢ下がると、顕著なノイズ低減効果が表れ始めるため、第一線間コンデンサ１１と第一対地コンデンサ１２とが近接して配置された場合でも十分なノイズ低減効果を得られる。
【００３９】
また、第一対地コンデンサ１２の向きＤ２は、上記第１調整角度をなすように配置された第二対地コンデンサ１３の向きＤ３に対して、１８０度の第１補助角度をなすように配置される。この場合、第一対地コンデンサ１２と第二対地コンデンサ１３の寄生インダクタンスを介した結合量を−１に低減できる。
このように、第一対地コンデンサ１２は、第一線間コンデンサ１１の寄生インダクタンスとの結合量を低減しつつ、隣接する第二対地コンデンサ１３の寄生インダクタンスとの結合量を低減するように配置されている。
【００４０】
また、向きＤ１に対して向きＤ２、Ｄ３がなす角度をほぼ１３５度または３１５度としたので、図４Ａにおける上下方向の寸法の増加を抑制しつつノイズを低減することができる。
【００４１】
実施の形態３．
図５Ａは、本願の実施の形態３のノイズフィルタの斜視図である。
図５Ｂは、図５Ａにおけるノイズフィルタを、平面Ｐと直交する方向から見たときの各コンデンサの配置を模式的に示す説明図である。
図５Ｃは、図５Ａにおけるノイズフィルタを側方から見たときの各コンデンサの配置を側方から見て模式的に示す模式図である。
【００４２】
図５Ａにおいて、ノイズフィルタ３００は、次のように構成されている。
第一線間コンデンサ１１、第一対地コンデンサ１２、および第二対地コンデンサ１３は、平面Ｐの一方面側（図５Ａにおける上方面側）に配置される。そして、図５Ａにおける右方から第一線間コンデンサ１１、第二対地コンデンサ１３、第一対地コンデンサ１２の順に、図５Ａにおける平面Ｐと平行な方向から見て重なる位置に配置される。なお、第二対地コンデンサ１３にほぼ平行にかつ近接して第一対地コンデンサ１２が配置されている。
【００４３】
このノイズフィルタ３００において、第一対地コンデンサ１２および第二対地コンデンサ１３は、その向きＤ２と向きＤ３の両方の向きが、第一線間コンデンサ１１の向きＤ１に対して、平面Ｐと直交する方向から見て、０度を超え３６０度未満の第１調整角度をなすように配置される。
具体的には、図５Ａ〜図５Ｃに示されるように、第二対地コンデンサ１３は、その向きＤ３が、第一線間コンデンサ１１の向きＤ１に対して、平面Ｐと直交する方向から見て、ほぼ９０度の第１調整角度をなすように配置される。また、第一対地コンデンサ１２は、その向きＤ２が、第一線間コンデンサ１１の向きＤ１に対して、平面Ｐと直交する方向から見て、ほぼ２７０度の第１調整角度をなすように配置される。
【００４４】
また、第一対地コンデンサ１２は、このように第一線間コンデンサ１１の向きＤ１に対して第１調整角度をなすように配置されつつ、さらに、その向きＤ２が、第二対地コンデンサ１３の向きＤ３に対しても、平面Ｐと直交する方向から見てほぼ１８０度の第１補助角度をなすように配置される。
【００４５】
その他の構成については、図２に示した実施の形態１と同様のものであるので、相当するものに同じ符号を付して説明を省略する。
【００４６】
このように、第二対地コンデンサ１３は、その向きＤ３が、第一線間コンデンサ１１の向きＤ１に対して、ほぼ９０度の第１調整角度をなすように配置される。こうして、図３に示したように、第二対地コンデンサ１３と第一線間コンデンサ１１の寄生インダクタンスを介した結合量を約０に低減できる。このように、結合量を０に抑制した構成においては、第一線間コンデンサ１１を流れる電流によって形成される磁場と、第二対地コンデンサ１３を流れる電流によって形成される磁場との対向面積がほぼ０となって相互に電磁結合しにくくなる。このため、第一線間コンデンサ１１と第二対地コンデンサ１３とが近接して配置された場合でも電磁結合を大幅に低減でき、ノイズを低減できる。
【００４７】
また、第一対地コンデンサ１２は、その向きＤ２が、第一線間コンデンサ１１の向きＤ１に対して、ほぼ２７０度の第１調整角度をなすように配置される。こうして、図３に示したように、第一対地コンデンサ１２と第一線間コンデンサ１１の寄生インダクタンスを介した結合量を約０に低減できる。このように、結合量を０に抑制した構成においては、第一線間コンデンサ１１を流れる電流によって形成される磁場と、第一対地コンデンサ１２を流れる電流によって形成される磁場との対向面積がほぼ０となって相互に電磁結合しにくくなる。このため、第一線間コンデンサ１１と第一対地コンデンサ１２とが近接して配置された場合でも電磁結合を大幅に低減でき、ノイズを低減できる。
【００４８】
また、第一対地コンデンサ１２の向きＤ２は、上記第１調整角度をなすように配置された第二対地コンデンサ１３の向きＤ３に対して、１８０度の第１補助角度をなすように配置される。この場合、第一対地コンデンサ１２と第二対地コンデンサ１３の寄生インダクタンスを介した結合量を−１に低減できる。
このように、第一対地コンデンサ１２は、第一線間コンデンサ１１の寄生インダクタンスとの結合量を低減しつつ、隣接する第二対地コンデンサ１３の寄生インダクタンスとの結合量を低減するように配置されている。
【００４９】
また、第１調整角度として用いた９０度、２７０度は、前述のように結合量を０に低減できる角度であると共に、各コンデンサを実装する場合において実装が容易な角度である。但し、マシン実装を用いず、人手により実装する場合等においては、最大プラスマイナス４５度の誤差が生じることがある。よって、第１調整角度は、実装容易な９０度、２７０度を中心としたプラスマイナス４５度の公差を含むものとする。
なお、第一線間コンデンサ１１の向きＤ１を１８０度回転させて、第一線間コンデンサ１１の向きＤ１に対する第二対地コンデンサ１３の向きＤ３がなす角度がほぼ２７０度の角度となるようにしてもよい。
【００５０】
実施の形態４．
図６Ａは、本実施の形態４のノイズフィルタの斜視図である。
図６Ｂは、図６Ａにおけるノイズフィルタを、平面Ｐと直交する方向から見たときの各コンデンサの配置を模式的に示す説明図である。
図６Ｃは、図６Ａにおけるノイズフィルタを側方から見たときの各コンデンサの配置を側方から見て模式的に示す模式図である。
【００５１】
図６Ａにおいて、ノイズフィルタ４００は、次のように構成されている。
第一線間コンデンサ１１、第一対地コンデンサ１２、および第二対地コンデンサ１３は、平面Ｐの一方面側（図６Ａにおける上方面側）に配置される。そして、図６Ａにおける右方から第一線間コンデンサ１１、第二対地コンデンサ１３、第一対地コンデンサ１２の順に、図６Ａにおける平面Ｐと平行な方向から見て重なる位置に配置される。
【００５２】
このノイズフィルタ４００において、第一対地コンデンサ１２および第二対地コンデンサ１３は、その向きＤ２と向きＤ３の両方の向きが、第一線間コンデンサ１１の向きＤ１に対して、平面Ｐと直交する方向から見て、０度を超え３６０度未満の第１調整角度をなすように配置される。
具体的には、図６Ａ〜図６Ｃに示されるように、第二対地コンデンサ１３は、その向きＤ３が、第一線間コンデンサ１１の向きＤ１に対して、平面Ｐと直交する方向から見て、ほぼ９０度の第１調整角度をなすように配置される。また、第一対地コンデンサ１２は、その向きＤ２が、第一線間コンデンサ１１の向きＤ１に対して、平面Ｐと直交する方向から見てほぼ１８０度の角度をなすように配置される。
【００５３】
また、第一対地コンデンサ１２は、このように第一線間コンデンサ１１の向きＤ１に対して第１調整角度をなすように配置されつつ、さらに、その向きＤ２が、第二対地コンデンサ１３の向きＤ３に対しても、平面Ｐと直交する方向から見てほぼ９０度の第１補助角度をなすように配置される。
【００５４】
その他の構成については、図２に示した実施の形態１と同様のものであるので、相当するものに同じ符号を付して説明を省略する。なお、第一線間コンデンサ１１の向きＤ１を１８０度回転させて、第一線間コンデンサ１１の向きＤ１に対する第二対地コンデンサ１３の向きＤ３がなす第１調整角度がほぼ２７０度の角度となるようにしてもよい。
【００５５】
このように、第二対地コンデンサ１３は、その向きＤ３が、第一線間コンデンサ１１の向きＤ１に対して、ほぼ９０度の第１調整角度をなすように配置される。こうして、図３に示したように、第二対地コンデンサ１３と第一線間コンデンサ１１の寄生インダクタンスを介した結合量を約０に抑制できる。このように、結合量を０に抑制した構成においては、第一線間コンデンサ１１を流れる電流によって形成される磁場と、第二対地コンデンサ１３を流れる電流によって形成される磁場との対向面積がほぼ０となって相互に電磁結合しにくくなる。このため、第一線間コンデンサ１１と第二対地コンデンサ１３とが近接して配置された場合でも電磁結合を大幅に低減でき、ノイズを低減できる。
【００５６】
また、第一対地コンデンサ１２は、その向きＤ２が、第一線間コンデンサ１１の向きＤ１に対して、ほぼ１８０度の第１調整角度をなすように配置される。こうして、図３に示したように、第一対地コンデンサ１２と第一線間コンデンサ１１の寄生インダクタンスを介した結合量を約−１に低減できる。このように結合量を−１とした構成においては、第一線間コンデンサ１１および第一対地コンデンサ１２を流れる電流によって形成される磁場が相互に打消しあう。このため、第一線間コンデンサ１１と第一対地コンデンサ１２とが近接して配置された場合でも電磁結合を大幅に低減でき、ノイズを低減できる。
【００５７】
また、第一対地コンデンサ１２の向きＤ２は、上記第１調整角度をなすように配置された第二対地コンデンサ１３の向きＤ３に対して、９０度の第１補助角度をなすように配置される。この場合、第一対地コンデンサ１２と第二対地コンデンサ１３の寄生インダクタンスを介した結合量を０に低減できる。
このように、第一対地コンデンサ１２は、第一線間コンデンサ１１の寄生インダクタンスとの結合量を低減しつつ、隣接する第二対地コンデンサ１３の寄生インダクタンスとの結合量を低減するように配置されている。
【００５８】
実施の形態５．
図７Ａは、本実施の形態のノイズフィルタの斜視図である。
図７Ｂは、図７Ａにおけるノイズフィルタを、平面Ｐと直交する方向から見たときの各コンデンサの配置を模式的に示す説明図である。
図７Ｃは、図７Ａにおけるノイズフィルタを側方から見たときの各コンデンサの配置を模式的に示す模式図である。
【００５９】
図７Ａにおいて、ノイズフィルタ５００は、次のように構成されている。
ノイズフィルタ５００は、第二線間コンデンサ１４を備える。
第二線間コンデンサ１４は、第七接続部としての接続部１４１ａを有する第一接続線１４１および第八接続部としての接続部１４２ａを有する第二接続線１４２を備えている。
第二線間コンデンサ１４は、図７Ａにおける第一線間コンデンサ１１の右方に第一線間コンデンサ１１と並べて平行に配置されている。
【００６０】
第二線間コンデンサ１４、第一線間コンデンサ１１、第二対地コンデンサ１３、第一対地コンデンサ１２は、平面Ｐの一方面側（図７Ａにおける上方面側）に配置される。そして図７Ａにおける右方から第二線間コンデンサ１４、第一線間コンデンサ１１、第二対地コンデンサ１３、第一対地コンデンサ１２の順に、図７Ａにおける平面Ｐに平行な方向から見て重なる位置に配置される。そして、第二線間コンデンサ１４は、接続部１４１ａにより第一配線２に接続され、接続部１４２ａにより第二配線３に接続されている。
なお、第二線間コンデンサ１４の第一配線２に接続された接続部１４１ａから第二配線３に接続された接続部１４２ａへ向かう向きをＤ４とする。
【００６１】
このノイズフィルタ５００において、上記実施の形態２〜４と同様に、第一対地コンデンサ１２および第二対地コンデンサ１３は、その向きＤ２と向きＤ３の両方の向きが、第一線間コンデンサ１１の向きＤ１に対して、平面Ｐと直交する方向から見て、０度を超え３６０度未満の第１調整角度をなすように配置される。
具体的には、図７Ａ〜図７Ｃに示されるように、第二対地コンデンサ１３は、その向きＤ３が、第一線間コンデンサ１１の向きＤ１に対して、平面Ｐと直交する方向から見て、ほぼ１８０度の第１調整角度をなすように配置される。また、第一対地コンデンサ１２は、向きＤ２が、第一線間コンデンサ１１の向きＤ１に対して、平面Ｐと直交する方向から見て、ほぼ２７０度の第１調整角度をなすように配置される。
【００６２】
また、第一対地コンデンサ１２は、このように第一線間コンデンサ１１の向きＤ１に対して第１調整角度をなすように配置されつつ、さらに、その向きＤ２が、第二対地コンデンサ１３の向きＤ３に対しても、平面Ｐと直交する方向から見てほぼ９０度の第１補助角度をなすように配置される。
【００６３】
更に、本実施の形態のノイズフィルタ５００では、第二線間コンデンサ１４の向きＤ４が、第一線間コンデンサ１１の向きＤ１に対して、平面Ｐと直交する方向から見て、０度を超え３６０度未満の第２調整角度をなすように配置される。
具体的には、図７Ａ〜図７Ｃに示されるように、第二線間コンデンサ１４は、その向きＤ４が、第一線間コンデンサ１１の向きＤ１に対して、平面Ｐと直交する方向から見て、１８０度の第２調整角度をなすように配置される。
【００６４】
その他の構成については、図２に示した実施の形態１と同様のものであるので、相当するものに同じ符号を付して説明を省略する。
【００６５】
このように、第二対地コンデンサ１３は、その向きＤ３が、第一線間コンデンサ１１の向きＤ１に対して、ほぼ１８０度の第１調整角度をなすように配置される。こうして、図３に示したように、第二対地コンデンサ１３と第一線間コンデンサ１１の寄生インダクタンスを介した結合量を約−１に低減できる。このように結合量を−１とした構成においては、第一線間コンデンサ１１および第二対地コンデンサ１３を流れる電流によって形成される磁場が相互に打消しあう。このため、第一線間コンデンサ１１と第二対地コンデンサ１３とが近接して配置された場合でも電磁結合を大幅に低減でき、ノイズを低減できる。
【００６６】
また、第一対地コンデンサ１２は、その向きＤ２が、第一線間コンデンサ１１の向きＤ１に対して、ほぼ２７０度の第１調整角度をなすように配置される。こうして、図３に示したように、第一対地コンデンサ１２と第一線間コンデンサ１１の寄生インダクタンスを介した結合量を約０に低減できる。このように、結合量を０に抑制した構成においては、第一線間コンデンサ１１を流れる電流によって形成される磁場と、第二対地コンデンサ１３を流れる電流によって形成される磁場との対向面積がほぼ０となって相互に電磁結合しにくくなる。このため、第一線間コンデンサ１１と第二対地コンデンサ１３とが近接して配置された場合でも電磁結合を大幅に低減でき、ノイズを低減できる。
【００６７】
また、第一対地コンデンサ１２の向きＤ２は、上記第１調整角度をなすように配置された第二対地コンデンサ１３の向きＤ３に対して、９０度の第１補助角度をなすように配置される。この場合、第一対地コンデンサ１２と第二対地コンデンサ１３の寄生インダクタンスを介した結合量を０に低減できる。
このように、第一対地コンデンサ１２は、第一線間コンデンサ１１の寄生インダクタンスとの結合量を低減しつつ、隣接する第二対地コンデンサ１３の寄生インダクタンスとの結合量を低減するように配置されている。
【００６８】
さらに、第二線間コンデンサ１４は、その向きＤ４が、第一線間コンデンサ１１の向きＤ１に対して、ほぼ１８０度の第２調整角度をなすように配置される。こうして、図３に示したように、第二線間コンデンサ１４と第一線間コンデンサ１１の寄生インダクタンスを介した結合量を約−１に低減できる。このように結合量を−１とした構成においては、第一線間コンデンサ１１および第二線間コンデンサ１４を流れる電流によって形成される磁場が相互に打消しあう。このため、第一線間コンデンサ１１と第二線間コンデンサ１４とが近接して配置された場合でも電磁結合を大幅に低減でき、ノイズを低減できる。
【００６９】
実施の形態６．
図８Ａは、本実施の形態のノイズフィルタの斜視図である。
図８Ｂは、図８Ａにおけるノイズフィルタを、平面Ｐと直交する方向から見たときの各コンデンサの配置を模式的に示す説明図である。
図８Ｃは、図８Ａにおけるノイズフィルタを側方から見たときの各コンデンサの配置を模式的に示す模式図である。
図９は、平面Ｐの一方面側に配置されたコンデンサの向きと、平面Ｐの他方面側に配置されたコンデンサの向きとがなす角度に基づく電磁結合量を実験結果に基づき示した図である。
【００７０】
図８Ａにおいて、ノイズフィルタ６００は、次のように構成されている。
第一線間コンデンサ１１および第二対地コンデンサ１３は平面Ｐの一方面側（図８Ａにおける上方面側）に配置される。そして、図８Ａにおける右方から第一線間コンデンサ１１、第二対地コンデンサ１３の順に、図８Ａにおける平面Ｐと平行な方向から見て重なる位置に配置される。
また、図８Ｃに示すように、第一対地コンデンサ１２は、平面Ｐの他方面側（図８Ａにおける下方面側）に、平面Ｐと直交する方向から見て、第二対地コンデンサ１３と上下方向に重なる位置に配置される。
なお、図８Ｂにおいて、図示の都合上、平面Ｐの他方面側（図８Ａにおける下方面側）に位置する第一対地コンデンサ１２を点線にて表し、かつ第二対地コンデンサ１３の左方に並べて図示している。
【００７１】
このノイズフィルタ６００において、第一対地コンデンサ１２と第二対地コンデンサ１３のうち、平面Ｐの一方面側に配設される第二対地コンデンサ１３の向きＤ３が、平面Ｐと直交する方向から見て、第一線間コンデンサ１１の向きＤ１に対してほぼ１８０度の第１調整角度をなすように配置される。
【００７２】
また、このように第一対地コンデンサ１２と第二対地コンデンサ１３とが、平面Ｐの一方面側と他方面側にそれぞれ配置される構成においては、第一対地コンデンサ１２は、上記第１調整角度をなすように配置される第二対地コンデンサ１３の向きＤ３に対して、平面Ｐと直交する方向から見て、０度以上１８０度未満、１８０度を超え３６０度未満の第１補助角度をなすように配置される。
具体的には、平面Ｐの他方面側に配置される第一対地コンデンサ１２の向きＤ２は、上記第１調整角度をなすように、平面Ｐの一方面側に配置された第二対地コンデンサ１３の向きＤ３に対して、平面Ｐと直交する方向から見て、ほぼ０度の第１補助角度をなすように配置される。
【００７３】
その他の構成については、図２に示した実施の形態１と同様のものであるので、相当するものに同じ符号を付して説明を省略する。
【００７４】
このように、第二対地コンデンサ１３は、その向きＤ３が、第一線間コンデンサ１１の向きＤ１に対して、ほぼ１８０度の第１調整角度をなすように配置される。こうして、図３に示したように、第二対地コンデンサ１３と第一線間コンデンサ１１の寄生インダクタンスを介した結合量を約−１に低減できる。このように結合量を−１とした構成においては、第一線間コンデンサ１１および第二対地コンデンサ１３を流れる電流によって形成される磁場が相互に打消しあう。このため、第一線間コンデンサ１１と第二対地コンデンサ１３とが近接して配置された場合でも電磁結合を大幅に低減でき、ノイズを低減できる。
【００７５】
また、平面Ｐの他方面側に配置された第一対地コンデンサ１２の向きＤ２は、上記第１調整角度をなすように配置された第二対地コンデンサ１３の向きＤ３に対して、ほぼ０度の第１補助角度をなすように配置される。
図９に示したように、平面Ｐの一方面側に配置されたコンデンサの向きと、平面Ｐの他方面側に配置されたコンデンサの向きとがなす角度に基づく電磁結合量は、角度０度（３６０度）において−１と最も低くなる。よって、平面Ｐの一方面側に配値された第二対地コンデンサ１３と、平面Ｐの他方面側に配置された第一対地コンデンサ１２の寄生インダクタンスを介した結合量を−１に低減できる。
また、第一対地コンデンサ１２は、平面Ｐと直交する方向から見て、第二対地コンデンサ１３と上下方向に重なる位置に配置されるため、より効果的に磁場を打ち消して電磁結合を大幅に低減できる。
また、平面Ｐの他方面側に第一対地コンデンサ１２を配置する構成としたため、図８Ａにおける左右方向の寸法の増加を抑制しつつノイズを低減することができる。
【００７６】
なお、ここでは、第一線間コンデンサ１１と第二対地コンデンサ１３は、平面Ｐの一方面側（上方面側）に配置されており、第一対地コンデンサ１２は、平面Ｐの他方面側（下方面側）に配置されている場合について述べたが、第一対地コンデンサ１２と第二対地コンデンサ１３とが入れ替わって配置されていてもよい。すなわち、第一線間コンデンサ１１と第一対地コンデンサ１２が、平面Ｐの一方面側に配置されており、第二対地コンデンサ１３が、平面Ｐの他方側に配置されていてもよい。
【００７７】
また、平面Ｐの他方面側に配置される第一対地コンデンサ１２を、平面Ｐと直交する方向から見て、第二対地コンデンサ１３と重ならないように、例えば、図８Ａにおける左方側にずらすように配置してもよい。この場合、第一線間コンデンサ１１を、平面Ｐの他方面側であって第二対地コンデンサ１３の真下に位置するように配置してもよい。
【００７８】
実施の形態７．
図１０Ａは、本実施の形態のノイズフィルタの斜視図である。
図１０Ｂは、図１０Ａにおけるノイズフィルタを、平面Ｐと直交する方向から見たときの各コンデンサの配置を模式的に示す説明図である。
図１０Ｃは、図１０Ａにおけるノイズフィルタを側方から見たときの各コンデンサの配置を模式的に示す模式図である。
【００７９】
本実施の形態のノイズフィルタ７００は、前述の実施の形態６のノイズフィルタ６００から第一線間コンデンサ１１の向きＤ１のみを変更した構成である。実施の形態６におけるノイズフィルタ６００の第一線間コンデンサ１１の向きＤ１は、図８の紙面手前側から奥側に向かう方向であった。本実施の形態７のノイズフィルタ７００では、第一線間コンデンサ１１の向きＤ１は、図１０Ａにおける紙面左側から右側に向かう方向に配置される。
【００８０】
このノイズフィルタ７００において、第一対地コンデンサ１２と第二対地コンデンサ１３のうち、平面Ｐの一方面側に配設される第二対地コンデンサ１３の向きＤ３が、平面Ｐと直交する方向から見てほぼ９０度の第１調整角度をなすように配置される。
その他の構成については、図２に示した実施の形態１と同様のものであるので、相当するものに同じ符号を付して説明を省略する。なお、第一線間コンデンサ１１の向きＤ１を１８０度回転させて、第一線間コンデンサ１１の向きＤ１に対する第二対地コンデンサの向きＤ３がなす第１調整角度がほぼ２７０度の角度となるようにしてもよい。
【００８１】
このように、第二対地コンデンサ１３は、その向きＤ３が、第一線間コンデンサ１１の向きＤ１に対して、ほぼ９０度の第１調整角度をなすように配置される。こうして、図３に示したように、第二対地コンデンサ１３と第一線間コンデンサ１１の寄生インダクタンスを介した結合量を約０に抑制できる。このように、結合量を０に抑制した構成においては、第一線間コンデンサ１１を流れる電流によって形成される磁場と、第二対地コンデンサ１３を流れる電流によって形成される磁場との対向面積がほぼ０となって相互に電磁結合しにくくなる。このため、第一線間コンデンサ１１と第二対地コンデンサ１３とが近接して配置された場合でも電磁結合を大幅に低減でき、ノイズを低減できる。
【００８２】
また、平面Ｐの一方面側に配値された第一対地コンデンサ１２と、平面Ｐの他方面側に配置された第二対地コンデンサ１３の寄生インダクタンスを介した結合量を−１に低減できる。また、平面Ｐの他方面側に第一対地コンデンサ１２を配置する構成としたため、図１０Ａにおける左右方向の寸法の増加を抑制しつつノイズを低減することができる。
【００８３】
実施の形態８．
図１１Ａは、本実施の形態のノイズフィルタの斜視図である。
図１１Ｂは、図１１Ａにおけるノイズフィルタを、平面Ｐと直交する方向から見たときの各コンデンサの配置を模式的に示す説明図である。
図１１Ｃは、図１１Ａにおけるノイズフィルタを側方から見たときの各コンデンサの配置を模式的に示す模式図である。
【００８４】
図１１Ａにおいて、ノイズフィルタ８００は、次のように構成されている。
ノイズフィルタ８００は、第二線間コンデンサ１４を備える。
第二線間コンデンサ１４は、第七接続部としての接続部１４１ａを有する第一接続線１４１および第八接続部としての接続部１４２ａを有する第二接続線１４２を備えている。
【００８５】
第二線間コンデンサ１４は、図１１Ａにおける第一線間コンデンサ１１の下方であって、平面Ｐの他方面側（図１１Ａにおける下方面側）に、第一線間コンデンサ１１と上下方向すなわち平面Ｐと直交する方向に重なる位置に配置されている。
第一線間コンデンサ１１、第二対地コンデンサ１３、第一対地コンデンサ１２は、平面Ｐの一方面側に、かつ図１１Ａにおける右方から第一線間コンデンサ１１、第二対地コンデンサ１３、第一対地コンデンサ１２の順に、平面Ｐと平行な方向から見て重なる位置にして配置されている。そして、第二線間コンデンサ１４は、接続部１４１ａが第一配線２に接続され、接続部１４２ａが第二配線３に接続されている。
【００８６】
なお、図１１Ｂにおいて、図示の都合上、平面Ｐの他方面側（図１１Ａにおける下方面側）に位置する第二線間コンデンサ１４を点線にて表し、かつ第一線間コンデンサ１１の右方に並べて図示している。
【００８７】
このノイズフィルタ８００において、第二線間コンデンサ１４の向きＤ４が、第一線間コンデンサの向きＤ１に対して、平面Ｐと直交する方向から見て、反時計回りに、０度以上１８０度未満、１８０度を超え３６０度未満の第２調整角度をなすように配置される。
具体的には、図１１Ｂおよび図１１Ｃに示されるように、第二線間コンデンサ１４の向きＤ４は、第一線間コンデンサ１１の向きＤ１に対して、平面Ｐと直交する方向から見て、ほぼ０度（３６０度）の第２調整角度をなすように配置されている。
【００８８】
その他の構成については、図２に示した実施の形態１と同様のものであるので、相当するものに同じ符号を付して説明を省略する。
【００８９】
このように、第二線間コンデンサ１４は、その向きＤ４が、第一線間コンデンサ１１の向きＤ１に対して、ほぼ０度（３６０度）の第２調整角度をなすように配置される。こうして、図９に示したように、平面Ｐの一方面側に配置される第一線間コンデンサ１１と、平面Ｐの他方面側に配置される第二線間コンデンサ１４の寄生インダクタンスを介した結合量を約−１に低減できる。このように結合量を−１とした構成においては、第一線間コンデンサ１１および第二線間コンデンサ１４を流れる電流によって形成される磁場が相互に打消しあう。このため、第一線間コンデンサ１１と第二線間コンデンサ１４とが近接して配置された場合でも電磁結合を大幅に低減でき、ノイズを低減できる。
【００９０】
実施の形態９．
図１２は、本実施の形態のノイズフィルタを示す回路図である。
図１３Ａは、本実施の形態のノイズフィルタの斜視図である。
図１３Ｂは、図１３Ａにおけるノイズフィルタを、平面Ｐと直交する方向から見たときのコンデンサおよびコイルの配置を模式的に示す説明図である。
図１３Ｃは、図１３Ａにおけるノイズフィルタを側方から見たときのコンデンサおよびコイルの配置を模式的に示す模式図である。
【００９１】
図１２、１３において、ノイズフィルタ９００は、次のように構成されている。
ノイズフィルタ９００は、第一コイル１５、第二コイル１６を備える。
第一コイル１５は、第九接続部としての接続部１５１ａを有する第一接続線１５１および第十接続部としての接続部１５２ａを有する第二接続線１５２を備えている。また、第二コイル１６は、第十一接続部としての接続部１６１ａを有する第一接続線１６１および第十二接続部としての接続部１６２ａを有する第二接続線１６２を備えている。
【００９２】
第一線間コンデンサ１１、第一対地コンデンサ１２、第二対地コンデンサ１３、第一コイル１５、第二コイル１６は、平面Ｐの一方面側（図１３Ａにおける上方面側）に配置される。そして、図１３Ａにおける右方から第二コイル１６、第一コイル１５、第一線間コンデンサ１１、第二対地コンデンサ１３、第一対地コンデンサ１２の順に配置されている。
第一コイル１５は、その一端が接続部１５１ａにより、他端が接続部１５２ａにより、第一配線２に直列接続される。また、第二コイル１６は、その一端が接続部１６１ａにより、他端が接続部１６２ａにより、第二配線３に直列接続されている。
【００９３】
図１３Ａ、図１３Ｂおよび図１３Ｃにおいて、第一コイル１５、第二コイル１６のそれぞれの向きＤ５、Ｄ６を次のように定義する。
すなわち、第一コイル１５の第一配線２に接続された接続部１５１ａから同じく第一配線２に接続された接続部１５２ａへ向かう向きをＤ５とする。
第二コイル１６の第二配線３に接続された接続部１６１ａから同じく第二配線３に接続された接続部１６２ａへ向かう向きをＤ６とする。
【００９４】
ノイズフィルタ９００において、第一コイル１５および第二コイル１６は、その向きＤ５と向きＤ６が、第一線間コンデンサの向きＤ１に対して、平面Ｐと直交する方向から見て、反時計回りに、０度を超え３６０度未満の第３調整角度をなすように配置される。
具体的には、図１３Ａ〜１３Ｃに示されるように、第一コイル１５は、その向きＤ５が、第一線間コンデンサ１１の向きＤ１に対して、平面Ｐと直行する方向から見て、ほぼ２７０度の第３調整角度をなすように配置される。また、第二コイル１６は、その向きＤ６が、第一線間コンデンサの向きＤ１に対して、平面Ｐと直行する方向から見て、ほぼ１８０度の第３調整角度をなすように配置される。
【００９５】
また、ノイズフィルタ９００において、第一コイル１５および第二コイル１６は、このように第一線間コンデンサ１１の向きＤ１に対して第３調整角度をなすように配置されつつ、さらに、第一コイル１５の向きＤ５または第二コイル１６の向きＤ６の向きの一方が、他方の向きに対して、平面Ｐと直交する方向から見て、０度を超え３６０度未満の第２補助角度をなすように配置される。
具体的には、図１３Ａ〜図１３Ｃに示されるように、第一コイル１５の向きＤ５は、第二コイル１６のＤ６に対して、平面Ｐと直交する方向から見て、ほぼ９０度の第２補助角度をなすように配置される。
【００９６】
このようにノイズフィルタ９００において、第一コイル１５および第二コイル１６は、その向きＤ５またはＤ６の一方の向きが他方の向きに対して、第２補助角度をなすとともに、第一線間コンデンサ１１に対して第３調整角度をそれぞれがなして配置される。
その他の構成については、図２に示した実施の形態１と同様のものであるので、相当するものに同じ符号を付して説明を省略する。
【００９７】
このように、第一コイル１５は、その向きＤ５が、第一線間コンデンサ１１の向きＤ１に対して、ほぼ２７０度の第３調整角度をなすように配置される。こうして、図３に示したように、第一コイル１５と第一線間コンデンサ１１の寄生インダクタンスを介した結合量を約０に抑制できる。このように、結合量を０に抑制した構成においては、第一線間コンデンサ１１を流れる電流によって形成される磁場と、第一コイル１５を流れる電流によって形成される磁場との対向面積がほぼ０となって相互に電磁結合しにくくなる。このため、第一線間コンデンサ１１と第一コイル１５とが近接して配置された場合でも電磁結合（図１２における相互インダクタンスンスＭ４）を大幅に低減でき、ノイズを低減できる。
【００９８】
また、第二コイル１６は、その向きＤ６が、第一線間コンデンサ１１の向きＤ１に対して、ほぼ１８０度の第３調整角度をなすように配置される。こうして、図３に示したように、第二コイル１６と第一線間コンデンサ１１の寄生インダクタンスを介した結合量を約−１に低減できる。このように結合量を−１とした構成においては、第一線間コンデンサ１１および第二コイル１６を流れる電流によって形成される磁場が相互に打消しあう。このため、第一線間コンデンサ１１と第二コイル１６とが近接して配置された場合でも電磁結合（図１２における相互インダクタンスンスＭ５）を大幅に低減でき、ノイズを低減できる。
【００９９】
また、第一コイル１５の向きＤ５は、第二コイル１６の向きＤ６に対して、平面Ｐと直交する方向から見て、ほぼ９０度の第２補助角度をなすように配置される。この場合、第一コイル１５と第二コイル１６の寄生インダクタンスを介した結合量を０に低減できる。
このように、第一コイル１５および第二コイル１６は、第一線間コンデンサ１１の寄生インダクタンスとの結合量を低減しつつ、互いの寄生インダクタンスの結合量（図１２における相互インダクタンスンスＭ６）を低減するように配置されている。
【０１００】
上記では、第一コイル１５と第二コイル１６が共に平面Ｐの一方面側に配設された例を示したが、第一コイル１５が平面Ｐの一方面側に配設され、第二コイル１６が平面Ｐの他方面側に配設されてもよい。この場合、平面Ｐの他方面側に配設された第二コイル１６は、第３調整角度をなすように配置される第一コイル１５の向きＤ５に対して、平面Ｐと直交する方向から見て、０度以上１８０度未満、１８０度を超え３６０度未満の第２補助角度をなすように配置してもよい。この場合、第一コイル１５を、平面Ｐと直交する方向から見て、第二コイル１６と上下に重なる位置に配置すると、電磁結合を更に低減できる。
【０１０１】
また、このように、第３調整角度、第２補助角度を用いた配置構成とすることで、第一コイル１５と第一線間コンデンサ１１との間、第二コイル１６と第一線間コンデンサ１１との間、または第一コイル１５と第二コイル１６との間、の静電容量による静電結合を抑制される効果を得ることもできる。
【０１０２】
なお、以上では、第一コイル１５が第一配線２に配置されており、かつ、第二コイル１６が第二配線３に配置されている構成を示した。しかしながらこの構成に限るものではなく、第一コイル１５のみを第一配線２に配置した構成でもよく、あるいは、第二コイル１６のみが第二配線３に配置した構成でもよい。
【０１０３】
また、第一コイル１５、第二コイル１６は、上記に示したようなそれぞれ２つの端子を有するものに限るものではなく、それぞれ４つの端子を持ち、第一配線２と第二配線３において同相で流れるコモンモード電流に対するコモンモードコイルでもよい。
【０１０４】
以下、図を用いてコモンモードコイルを用いたノイズフィルタについて説明する。
図１４は、図１２および図１３で示したノイズフィルタ９００と異なる構成のノイズフィルタ９００ａを示す回路図である。
図１５は、図１４に示すノイズフィルタ９００ａを、平面Ｐと直交する方向から見たときのコンデンサおよびコイルの配置を模式的に示す説明図である。
図１４、１５において、ノイズフィルタ９００ａは、次のように構成されている。
ノイズフィルタ９００ａは、第一コモンモードコイル２５、第二コモンモードコイル２６を備える。
【０１０５】
第一コモンモードコイル２５は、第一配線２に直列接続される第三コイル１７と、第二配線３に直列接続される第四コイル１８とで形成される。
第三コイル１７は、一端に第十三接続部としての接続部１７１ａを有する第一接続線１７１と、他端に第十四接続部としての接続部１７２ａを有する第二接続線１７２を備えている。また、第四コイル１８は、一端に第十五接続部としての接続部１８１ａを有する第一接続線１８１と、他端に第十六接続部としての接続部１８２ａを有する第二接続線１８２を備えている。
【０１０６】
第二コモンモードコイル２６は、第一配線２に直列接続される第五コイル１９と、第二配線３に直列接続される第六コイル２０とで形成される。
第五コイル１９は、一端に第十七接続部としての接続部１９１ａを有する第一接続線１９１と、他端が第十八接続部としての接続部１９２ａを有する第二接続線１９２を備えている。また、第六コイル２０は、一端が第十九接続部としての接続部２０１ａを有する第一接続線２０１と、他端が第二十接続部としての接続部２０２ａを有する第二接続線２０２を備えている。
【０１０７】
ノイズフィルタ９００ａの配置構成は、前述のノイズフィルタ９００において、第一コイル１５を第一コモンモードコイル２５に、第二コイル１６を第二コモンモードコイル２６に置き換えた構成である。すなわち、第一線間コンデンサ１１、第一対地コンデンサ１２、第二対地コンデンサ１３、第一コモンモードコイル２５、第二コモンモードコイル２６は、平面Ｐの一方面側に配置される。そして、図１５における右方から第二コモンモードコイル２６、第一コモンモードコイル２５、第一線間コンデンサ１１、第二対地コンデンサ１３、第一対地コンデンサ１２の順に配置されている。
【０１０８】
第一コモンモードコイル２５の第三コイル１７は、その一端が接続部１７１ａにより、他端が接続部１７２ａにより、第一配線２に直列接続される。また、第一コモンモードコイル２５の第四コイル１８は、その一端が接続部１８１ａにより、他端が接続部１８２ａにより、第二配線３に直列接続されている。
第二コモンモードコイル２６の第五コイル１９は、その一端が接続部１９１ａにより、他端が１９２ａにより、第一配線２に直列接続される。また、第二コモンモードコイル２６の第六コイル２０は、その一端が２０１ａにより、他端が２０２ａにより、第二配線３に直列接続される。
【０１０９】
図１５において、第一コモンモードコイル２５、第二コモンモードコイル２６のそれぞれの向きＤ７、Ｄ８を次のように定義する。
すなわち、第一コモンモードコイル２５の第三コイル１７の第一配線２に接続された接続部１７１ａから同じく第一配線２に接続された接続部１７２ａへ向かう向きをＤ７とする。
第二コモンモードコイル２６の第五コイル１９の第一配線２に接続された接続部１９１ａから同じく第一配線２に接続された接続部１９２ａへ向かう向きをＤ８とする。
【０１１０】
そしてノイズフィルタ９００ａにおいて、第一コモンモードコイル２５および第二コモンモードコイル２６は、その向きＤ７と向きＤ８が、第一線間コンデンサの向きＤ１に対して、平面Ｐと直交する方向から見て、反時計回りに、０度を超え３６０度未満の第４調整角度をなすように配置される。
具体的には、図１５に示されるように、第一コモンモードコイル２５は、その向きＤ７が、第一線間コンデンサ１１の向きＤ１に対して、平面Ｐと直交する方向から見て、ほぼ２７０度の第４調整角度をなすように配置される。また、第二コモンモードコイル２６は、その向きＤ８が、第一線間コンデンサ１１の向きＤ１に対して、平面Ｐと直交する方向から見て、ほぼ１８０度の第４調整角度をなすように配置される。
【０１１１】
また、ノイズフィルタ９００ａにおいて、第一コモンモードコイル２５および第二コモンモードコイル２６は、このように第一線間コンデンサ１１の向きＤ１に対して第４調整角度をなすように配置されつつ、さらに、第一コモンモードコイル２５の向きＤ７または第二コモンモードコイル２６の向きＤ８の向きの一方が、他方の向きに対して、平面Ｐと直交する方向から見て、０度を超え３６０度未満の第３補助角度をなすように配置される。
具体的には、図１５に示されるように、第一コモンモードコイル２５の向きＤ７は、第二コモンモードコイル２６のＤ８に対して、平面Ｐと直交する方向から見て、ほぼ９０度の第３補助角度をなすように配置される。
【０１１２】
このようにノイズフィルタ９００ａにおいて、第一コモンモードコイル２５および第二コモンモードコイル２６は、その向きＤ７またはＤ８の一方の向きが他方の向きに対して、第３補助角度をなすとともに、第一線間コンデンサ１１に対して第４調整角度をそれぞれがなして配置される。
その他の構成については、図２に示した実施の形態１と同様のものであるので、相当するものに同じ符号を付して説明を省略する。
【０１１３】
このように、第一コモンモードコイル２５は、その向きＤ７が、第一線間コンデンサ１１の向きＤ１に対して、ほぼ２７０度の第４調整角度をなすように配置される。こうして、図３に示したように、第一コイル１５と第一線間コンデンサ１１の寄生インダクタンスを介した結合量を約０に抑制できる。このように、結合量を０に抑制した構成においては、第一線間コンデンサ１１を流れる電流によって形成される磁場と、第一コモンモードコイル２５を流れる電流によって形成される磁場との対向面積がほぼ０となって相互に電磁結合しにくくなる。このため、第一線間コンデンサ１１と第一コモンモードコイル２５とが近接して配置された場合でも電磁結合を大幅に低減でき、ノイズを低減できる。
【０１１４】
また、第二コモンモードコイル２６は、その向きＤ８が、第一線間コンデンサ１１の向きＤ１に対して、ほぼ１８０度の第４調整角度をなすように配置される。こうして、図３に示したように、第二コモンモードコイル２６と第一線間コンデンサ１１の寄生インダクタンスを介した結合量を約−１に低減できる。このように結合量を−１とした構成においては、第一線間コンデンサ１１および第二コモンモードコイル２６を流れる電流によって形成される磁場が相互に打消しあう。このため、第一線間コンデンサ１１と第二コモンモードコイル２６とが近接して配置された場合でも電磁結合を大幅に低減でき、ノイズを低減できる。
【０１１５】
また、第一コモンモードコイル２５の向きＤ７は、第二コモンモードコイル２６の向きＤ８に対して、平面Ｐと直交する方向から見て、ほぼ９０度の第３補助角度をなすように配置される。この場合、第一コモンモードコイル２５と第二コモンモードコイル２６の寄生インダクタンスを介した結合量を０に低減できる。
このように、第一コモンモードコイル２５および第二コモンモードコイル２６は、第一線間コンデンサ１１の寄生インダクタンスとの結合量を低減しつつ、互いの寄生インダクタンスの結合量を低減するように配置されている。
【０１１６】
上記では、第一コモンモードコイル２５と第二コモンモードコイル２６が共に平面Ｐの一方面側に配設された例を示したが、第一コモンモードコイル２５が平面Ｐの一方面側に配設され、第二コモンモードコイル２６が平面Ｐの他方面側に配設されてもよい。この場合、平面Ｐの他方面側に配設された第二コモンモードコイル２６は、第４調整角度をなすように配置される第一コモンモードコイル２５の向きＤ７に対して、平面Ｐと直交する方向から見て、０度以上１８０度未満、１８０度を超え３６０度未満の第３補助角度をなすように配置してもよい。この場合、第一コモンモードコイル２５を、平面Ｐと直交する方向から見て、第二コモンモードコイル２６と上下に重なる位置に配置することで、電磁結合をさらに低減できる。
【０１１７】
また、このように、第４調整角度、第３補助角度を用いた配置構成とすることで、第一コモンモードコイル２５と第一線間コンデンサ１１との間、第二コモンモードコイル２６と第一線間コンデンサ１１との間、または第一コモンモードコイル２５と第二コモンモードコイル２６との間、の静電容量による静電結合を抑制される効果を得ることもできる。
【０１１８】
なお、以上では、第一コモンモードコイル２５と第二コモンモードコイル２６との両方を第一配線２、第二配線３に配置されている構成を示した。しかしながらこの構成に限るものではなく、第一コモンモードコイル２５あるいは第二コモンモードコイル２６の一方のみを配置した構成でもよい。
【０１１９】
上記各実施の形態において示したノイズフィルタは、実施の形態１において説明したように、半導体素子のスイッチング動作などによって生じる電磁気ノイズを減衰させるために、系統電源側とノイズの発生源である電気機器（例えばインバータ）との間、系統電源側とノイズの発生源である電力変換装置との間、電気機器と負荷との間、電力変換装置と負荷との間、等に挿入（接続）される。
ここで、系統電源側とノイズの発生源である電力変換器との間に、実施の形態９に示したノイズフィルタ９００を接続した場合の電力変換装置１０００の構成例を図を用いて示す。
【０１２０】
図１４は、ノイズフィルタ９００を備えた電力変換装置１０００の概略構成図である。
電力変換装置１０００は、半導体スイッチング素子４１を備えて電力変換を行う電力変換器４０と、ノイズフィルタ９００とを備える。ノイズフィルタ９００は、電源３０と電力変換器４０との間に設けられて、電力変換器４０の半導体スイッチング素子４１のスイッチング動作により生じるノイズを減衰する。
ノイズフィルタ９００は、各コンデンサおよびコイルを近接させて配置することで小型でありつつ高いノイズ低減効果を有する。よって、このようなノイズフィルタ９００を備えることで、小型で且つ高いノイズ低減効果を有する高性能の電力変換装置１０００を提供できる。
【０１２１】
本願は、様々な例示的な実施の形態及び実施例が記載されているが、１つ、または複数の実施の形態に記載された様々な特徴、態様、及び機能は特定の実施の形態の適用に限られるのではなく、単独で、または様々な組み合わせで実施の形態に適用可能である。
従って、例示されていない無数の変形例が、本願に開示される技術の範囲内において想定される。例えば、少なくとも１つの構成要素を変形する場合、追加する場合または省略する場合、さらには、少なくとも１つの構成要素を抽出し、他の実施の形態の構成要素と組み合わせる場合が含まれるものとする。
【符号の説明】
【０１２２】
２  第一配線、３  第二配線、４  接地配線、１１  第一線間コンデンサ、１２  第一対地コンデンサ、１３  第二対地コンデンサ、１４  第二線間コンデンサ、１００  ノイズフィルタ、１１１ａ，１１２ａ，１２１ａ，１２２ａ  接続部、１３１ａ，１３２ａ，１４１ａ，１４２ａ  接続部、２００〜８００  ノイズフィルタ、１５  第一コイル、１６  第二コイル、２５  第一コモンモードコイル、２６  第二コモンモードコイル、１０００  電力変換装置。
【要約】
ノイズフィルタ（１００）の第一対地コンデンサ（１２）および第二対地コンデンサ（１３）は、該第一対地コンデンサ（１２）の第三接続部から第四接続部へ向かう向きと該第二対地コンデンサ（１３）の第五接続部から第六接続部へ向かう向きとのうちの少なくとも一方の向きが、第一線間コンデンサ（１１）の第一接続部から第二接続部へ向かう向きに対して、平面と直交する方向から見て、０度を超え３６０度未満の第１調整角度をなすように配置される。【図１】
0006385630.tif 000002
【図２】
0006385630.tif 000003
【図３】
0006385630.tif 000004
【図４】
0006385630.tif 000005
【図５】
0006385630.tif 000006
【図６】
0006385630.tif 000007
【図７】
0006385630.tif 000008
【図８】
0006385630.tif 000009
【図９】
0006385630.tif 000010
【図１０】
0006385630.tif 000011
【図１１】
0006385630.tif 000012
【図１２】
0006385630.tif 000013
【図１３】
0006385630.tif 000014
【図１４】
0006385630.tif 000015
【図１５】
0006385630.tif 000016
【図１６】
0006385630.tif 000017